(57)【要約】【課題】建築物の一部に一体的に組み込むことが可能な郵便受けの提供を目的とする。【解決手段】建築物の一部に一体的に組み込むことが可能な郵便受けであって、郵便受けは鉄筋挿通孔を有することを特徴とする。【選択図】  図１
2011000422.tif 000002
【特許請求の範囲】
【請求項１】
建築物の一部に一体的に組み込むことが可能な郵便受けであって、
郵便受けは鉄筋挿通孔を有することを特徴とする郵便受け。
【請求項２】
前記鉄筋挿通孔は鉄筋の挿通後にモルタルを充填できる空間部を有することを特徴とする請求項１記載の郵便受け。
【請求項３】
前記郵便受けは郵便物等を投入するポスト部と、インターホンを取付けるためのインターホン部を有することを特徴とする請求項１又は２に記載の郵便受け。
【請求項４】
ブロック建築物の一部に、請求項１〜３のいずれかの郵便受けを組み込んだことを特徴とする郵便受け一体型建築構造。
【発明の詳細な説明】
【技術分野】
【０００１】
本発明は郵便物、新聞及び宅配物等を受けとるための郵便受けに関し、特に建築物の一部に一体的に組み込むのに効果的な郵便受けに係る。
【背景技術】
【０００２】
これまで例えば特許文献１に示すように門柱に郵便受け機能を付加した機能性門柱は存在したが、所定の強度が要求される建築構造物の一部に一体的に組み込んだ郵便受けは存在しない。
その理由としては、例えばコンクリートブロックを用いたブロック構造物の場合にコンクリートブロックを積み上げただけでは、建築物としての強度が確保できず、ブロックに有する孔に鉄筋を挿入し、ホルタル充填により鉄筋とブロックを一体的に結合する必要があるからだと推定された。
そこで本発明者は、郵便受けにもコンクリートブロックと同様の機能を付与できれば鉄筋補強が必要な建築物であっても、その建築物の一部に一体的に郵便受けに組み込むことができる点に着目し、本発明に至った。
【先行技術文献】
【特許文献】
【０００３】
【特許文献１】実開平５−４７２９６号公報
【発明の概要】
【発明が解決しようとする課題】
【０００４】
本発明は、建築物の一部に一体的に組み込むことが可能な郵便受けの提供を目的とする。
【課題を解決するための手段】
【０００５】
本発明に係る郵便受けは、建築物の一部に一体的に組み込むことが可能な郵便受けであって、郵便受けは鉄筋挿通孔を有することを特徴とする。
ここで、鉄筋挿通孔は郵便受けの縦方向でも横方向でもよく、建築物の中に縦横に配置される鉄筋を挿通することができればよい。
また、郵便受けに設けた鉄筋挿通孔は鉄筋挿通後に、モルタルを充填できる空間部を有するのがよく、この空間部にモルタルを充填することで郵便受けがモルタルにより鉄筋と結合できる。
また、本発明における郵便受けは郵便物以外の新聞や、いわゆる宅配物等を受けとるものも含まれる。
【０００６】
本発明に係る郵便受けは、郵便物等を受けとる収納部（ポスト部）の他にインターホンを取付るためのインターホン部を併設してもよく、さらには表札部や照明機能等の各種機能を付加してもよい。
【０００７】
本発明に係る郵便受けは、鉄筋補強する建築物であればどのような建築物に組み込んでもよいが、コンクリートブロックの厚みや高さを考慮した短形形状に製作すると、コンクリートブロックとしてブロック建築物の一部に組み込んだ建築構造にすることもできる。
【発明の効果】
【０００８】
本発明に係る郵便受けにあっては、郵便受けに鉄筋を挿通するための鉄筋挿入孔を有しているので、鉄筋を埋設する必要がある建築物の一部に容易に一体的に組み込むことができる。
【図面の簡単な説明】
【０００９】
【図１】建築物の一部に郵便受けを一体的に組み込む構造例を示す。
【図２】郵便受けの取付施工手順例を示す。
【図３】郵便受けの取付施工手順例を示す。
【図４】郵便受けに設けた鉄筋挿通孔部分の拡大図を示す。
【図５】建築物の平面構造例を示す。
【図６】郵便受けの断面図を示す。
【発明を実施するための形態】
【００１０】
図１に本発明に係る郵便受け１０を建築物の一部に組み込んだ構造例を示す。
本発明は郵便受け１０に鉄筋の挿通孔を有し、建築物の内部に配設する鉄筋をそのまま郵便受けの挿通孔に通し、モルタルを充填できるものであれば、対象となる建築物は壁や門柱等、特に制限はないが本実施例はコンクリートブロックを積み上げて構築したブロック製の門塀に郵便受けを一体的に組み込んだ例である。
【００１１】
図１は、地面からコンクリート製等のブロック１を順次積み上げる。
その途中に、概ね２つのブロックの外形寸法に相当する短形形状の郵便受け１０を組み込んだ例である。
ブロック１には上下方向に孔１ａが設けられ、所定の間隔毎に縦鉄筋２ａ、２ｂ、・・・・・が配設される。
そこで、郵便受け１０にもこの縦鉄筋２ａを上下方向に挿通する鉄筋挿通孔１１を設けてある。
図２（ａ）に示すように縦鉄筋２ａを郵便受け１０に設けた鉄筋挿通孔１１に通すようにして、郵便受け１０をブロックの上に積み重ねる。
なお、この場合に郵便受け１０の底部とその下に位置するブロック１の上部との間にモルタル４を塗る。
また必要に応じて、電気配線用の配線配管１６等も埋め込む。
本実施例では、郵便受け１０の高さ寸法をブロック１の高さ、例えば約１９０ｍｍに合せて設定し、横寸法をブロック１の２つ分＋目地寸法に合せて約７９０ｍｍに設定した例である。
また、本実施例における郵便受け１０は郵便物等を収容するポスト部１２とインターホン部１４を組み合せた例になっていて、インターホン部１４の厚みはブロック１の厚み、例えば、１２０ｍｍ、１５０ｍｍ等に合せてある。
郵便受けの形状をこのように、ブロック塀の一部のブロックと置き換えできるように形成すると、郵便受けがブロックと同等の役割を担うことになる。
なお、ブロック等の建築部材を部分的に置き換えることができれば、本実施例のように、ブロック２つ分に限定されるものではなく、ブロック１つ、又は１つ半等いろいろなケースが当てはまり、鉄筋を埋設しながら積み上げたり、構築する多くの、ブロック以外の建築物にも適用できる。
次に図２（ｂ）に示した状態で拡大図を図４に示すように鉄筋挿通孔１１にモルタル４を充填することで縦鉄筋２ａと郵便受け１０を結合し、その上に横鉄筋３ａを配置することで縦鉄筋２ａと結合し再びモルタル４を塗り、その上に図３（ｂ）に示すように通常通りブロック１を積み上げる。
また、必要に応じて、ブロック１の横方向に設けた鉄筋配置溝１ｂに横鉄筋３ｂを配置し縦鉄筋と連結する。
その後に、図３（ｃ）に示すように外装材５にて外観を仕上げる。
【００１２】
ブロック門塀に郵便受け１０を組み込んだ状態の平面断面図を図５に示し、縦断面図を図６に示す。
本実施例に係る郵便受け１０は、ポスト部１２とその横にインターホン部１４を設けた例になっていて、ポスト部１２の前側には郵便物等を投入する郵便物投入口１３を有する。
本実施例では前扉１２ｃを手前に開き、後方に開く内扉に沿って郵便物を投入するようになっている。
ポスト部１２の後側は、ダイヤル錠１２ｂ付きの郵便物取出し扉１２ａを有する。
【００１３】
インターホン部１４には、内部にインターホンを取り付け、操作窓１４ａを有し、この操作窓から操作できるようになっている。
また、インターホン部１４の前側には表札部１５を設けて、ＬＥＤ等の照明１７を取り付けてもよい。
照明１７は、光センサーにより夜間自動点燈するようになっている。
【符号の説明】
【００１４】
１          ブロック
１ａ        孔
２ａ        縦鉄筋
３ｂ        横鉄筋
１０        郵便受け
１１        鉄筋挿通孔
１２        ポスト部
１３        郵便投入口
１４        インターホン部
１５        表札部
１６        配線配管
【図１】
2011000422.tif 000003
【図２】
2011000422.tif 000004
【図３】
2011000422.tif 000005
【図４】
2011000422.tif 000006
【図５】
2011000422.tif 000007
【図６】
2011000422.tif 000008